(57)【要約】【課題】開閉操作が簡単で、且つ、台風などの強風とともに雨水が吹き付ける場合においても、全閉時の気密性、防水性に優れたガラリを提供することを課題とする。【解決手段】可動羽根がその全閉時に、可動羽根が固定羽根の立ち上がり部と当接する部分で固定羽根と密接する第１シール手段と、可動羽根の先端に取り付けられた当接部材が固定羽根に当接して外気を遮断する第２シール手段と、可動羽根の先端が固定羽根の立ち上がり部と軸受部の間の室外側の凹部に取り付けられた弾性部材と当接する部分で固定羽根と密接する第３シール手段と、によって通気を遮断することを特徴とするガラリ。【選択図】  図１
2011202497.tif 000002
【特許請求の範囲】
【請求項１】
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に凹部が形成されている
ことを特徴とするガラリ。
【請求項２】
前記の凹部に弾性部材が取り付けられ、
可動羽根の全閉時に、可動羽根の先端部分が弾性部材に当接することで、
固定羽根の立ち上がり部と軸受部との間に生じる凹部の空間を塞ぐ
ことを特徴とする請求項１に記載のガラリ。
【請求項３】
可動羽根の先端が延出した形状をなしている
ことを特徴とする請求項１または請求項２に記載のガラリ。
【請求項４】
可動羽根の先端の延出部分の一部に突起部が設けられ、
可動羽根の全閉時に、突起部が固定羽根の立ち上がり部と軸受部との間の凹部に取り付けられた弾性部材に嵌合する
ことを特徴とする請求項１から請求項３のいずれか一項に記載のガラリ。
【請求項５】
可動羽根が、その全閉時に、
固定羽根の立ち上がり部と当接する部分において、固定羽根と密接する第１シール手段と、
先端に取り付けられた当接部材において、固定羽根に当接する第２シール手段と、
先端部分において、固定羽根の立ち上がり部と軸受部の間の凹部に取り付けられた弾性部材と当接する第３シール手段と、
によって通気を遮断する
ことを特徴とする請求項２から請求項４のいずれか一項に記載のガラリ。
【請求項６】
可動羽根が中空に形成されている
ことを特徴とする請求項１から請求項５のいずれか一項に記載のガラリ。
【発明の詳細な説明】
【技術分野】
【０００１】
本発明は、通気を得るために建物の窓等の開口部に取り付ける気密性、防水性が高いガラリに関するものである。
【背景技術】
【０００２】
建物の窓等に取り付けられ、固定羽根と可動羽根とから構成されるガラリは、従来から知られている。
【０００３】
例えば、従来技術の一例として、実開昭５９−１９０８８９号公報では、アルミ合金製可動ガラリの一例が記載されている。
この技術は、図３に示されるように、両側の縦枠に所定間隔で複数枚の固定羽根１‥と、固定羽根１‥間の室内側に設けられた複数枚の可動羽根２‥からなり、可動羽根２‥はその上縁が固定羽根１‥に形成された溝２ａに枢止され、且つ可動羽根２に取付けられたアーム３及び共通の連結棒４に軸着されて開閉されるようになっているものである。
【０００４】
また、特許第２９４９１７１号公報では、枠と、枠に設けられ軸受部が形成された固定羽根と、回転軸とアームとが形成され軸受部に回転自在に設けられた可動羽根と、枠に移動自在に設けられ凹部が形成された連動棒と、連動棒の操作部と、枠に設けられた係合部と、弾性部材によって押圧されて係合部に係合して設けられたロック杆と、連動棒の操作部に設けられ押圧力に抗してロック杆を係合部から解除する方向に移動させるロック杆の操作部とを備え、凹部の一方側側壁がアームの一方面を押動自在に設けられると共に、凹部の他方側側壁がアームの他方面を押動自在に設けられ、ガラリが開閉されると共に、ロック杆を連動棒と共に枠に対して移動自在に設けたことを特徴とするものである。
【先行技術文献】
【特許文献】
【０００５】
【特許文献１】実開昭５９−１９０８８９号公報
【特許文献２】特許第２９４９１７１号公報
【発明の概要】
【発明が解決しようとする課題】
【０００６】
しかしながら、従来のガラリは、全閉時の気密性や防水性の点で、十分ではなかった。
【０００７】
ガラリは建物の窓等の開口部に取り付けるものであり、遮光性はもちろんのこと、屋外から漏水しないことが重要であるが、台風などの強風を伴う場合には、強い風が吹き付けることで、雨水が室内に入ってくることがある。
【０００８】
この点、特許文献１に係る発明は、図３に示すように、可動羽根２が矢印のように可動し、固定羽根１の端部の弾性材による突起片１ａに当接して気密性、防水性を高めるようにしたものであり、また、特許文献２に係る発明は、図４の矢印に示すように、可動羽根７の先端部の弾性体を素材とする湾曲状の当接部材６ｄが、固定羽根６の先端部６ｅに押圧されて気密性、防水性を高めるものであるが、いずれの発明も、平面と曲面とが当接することによって通気を遮断するものであり、当接箇所の１点でシールする手段であるため、気密、防水性能が十分でない。
【０００９】
本発明は、このような事情に鑑みてなされたものであり、開閉操作が簡単で、かつ、台風などの強風とともに雨水が吹き付ける場合においても、全閉時の気密、防水性能が高いガラリを提供することを課題とする。
【課題を解決するための手段】
【００１０】
本発明は前記課題を解決するため、以下の技術的手段を用いている。
【００１１】
請求項１に係る発明は、
建物の窓等の開口部に埋め込んで固定される枠体と、
枠体の左右の縦枠間に固定される複数の固定羽根と、
各固定羽根の軸受部に回転自在に軸支され、固定羽根間の隙間部分を開閉する複数の可動羽根と、
枠体の左右の縦枠に配され、各可動羽根の両端を係止して略上下方向の移動によって可動羽根を開閉する連動棒と、
連動棒を操作して可動羽根を開閉するハンドルと、
を備えるガラリにおいて、
可動羽根の全閉時に、固定羽根の立ち上がり部に当接する部分の可動羽根が、固定羽根の立ち上がり部に密接する形状をなしており、
可動羽根の先端に、可動羽根の全閉時に固定羽根に当接して通気を遮断する当接部材が取り付けられ、
固定羽根の立ち上がり部と軸受部との間に凹部が形成されている
ことを特徴とするガラリである。
【００１２】
請求項２に係る発明は、
前記の凹部に弾性部材が取り付けられ、
可動羽根の全閉時に、可動羽根の先端部分が弾性部材に当接することで、
固定羽根の立ち上がり部と軸受部との間に生じる凹部の空間を塞ぐ
ことを特徴とする請求項１に記載のガラリである。
【００１３】
請求項３に係る発明は、
可動羽根の先端が延出した形状をなしている
ことを特徴とする請求項１または請求項２に記載のガラリである。
【００１４】
請求項４に係る発明は、
可動羽根の先端の延出部分の一部に突起部が設けられ、
可動羽根の全閉時に、突起部が固定羽根の立ち上がり部と軸受部との間の凹部に取り付けられた弾性部材に嵌合する
ことを特徴とする請求項１から請求項３のいずれか一項に記載のガラリである。
【００１５】
請求項５に係る発明は、
可動羽根が、その全閉時に、
固定羽根の立ち上がり部と当接する部分において、固定羽根と密接する第１シール手段と、
先端に取り付けられた当接部材において、固定羽根に当接する第２シール手段と、
先端部分において、固定羽根の立ち上がり部と軸受部の間の凹部に取り付けられた弾性部材と当接する第３シール手段と、
によって通気を遮断する
ことを特徴とする請求項２から請求項４のいずれか一項に記載のガラリである。
【００１６】
請求項６に係る発明は、
可動羽根が中空に形成されている
ことを特徴とする請求項１から請求項５のいずれか一項に記載のガラリである。
【００１７】
可動羽根は、固定羽根の軸受部に回転自在に軸支される。
可動羽根は、その両端が連動棒に係止され、連動棒の略上下方向の移動に合わせて軸受部を基点とした回転によって開閉が行われる。
連動棒は、全ての可動羽根を係止し、連動棒の動きによって全ての可動羽根が同じように開閉する。
連動棒の略上下方向の移動は、ハンドルによって操作される。
【００１８】
可動羽根のうち、可動羽根が全閉時に固定羽根と当接する部分は、固定羽根の立ち上がり部に密接する形状をなしている。
当接する部分の可動羽根の形状は、固定羽根の立ち上がり部の形状に合わせて種々の形状を採ることができる。
当接する部分に緩衝材を設けることができ、これにより気密性、防水性を高め、羽根同士の衝突音を防ぎ、遮音効果、断熱効果がある。
【００１９】
可動羽根の先端に取り付けられる当接部材は、可動羽根の全閉時に、その先端が固定羽根の傾斜面に当接することで通気や、水の浸入を遮断する。
当接部材は、固定羽根の傾斜面に当接する先端側が薄く形成されていても良い。
この場合、当接部材が固定羽根の傾斜面に当接する際に、当接部材の先端が室内側に撓み、強風時に当接部材の先端が室内側にめくれて当接部材と固定羽根との間を風が雨水が浸入するというようなことがない。
さらに、屋外から入り込む強風に対して当接部材が撓ることで風圧を分散するので、風圧が原因で起こるがたつき音など、羽根同士の衝突音を軽減する。
なお、当接部材は、取り換えができるように着脱可能にすることができる。
【００２０】
固定羽根の立ち上がり部と軸受部との間の室外側には、凹部が形成されている。
凹部には十分な空間が確保されるため、強風時でも凹部を越えて、立ち上がり部にまで雨水が浸入するようなことがない。
立ち上がり部が形成されていることでも十分に雨水の浸入を防ぐことができるが、可動羽根と固定羽根とが固定羽根の軸受部から立ち上がり部までの間の全ての範囲で密接した状態で当接している場合、仮に雨水が当接部材と固定羽根との間を通り抜けて室内側に浸入すると、可動羽根と固定羽根とが当接するその隙間を毛細管現象によって室内側へ雨水が浸入してしまう可能性がある。
そこで、前記の箇所に空間（凹部）があれば、仮に雨水が当接部材と固定羽根との間を通り抜けて室内側に浸入しても、雨水が凹部内で留まり、立ち上がり部を超えて室内側へ浸入することがない。
【００２１】
また、凹部には、弾性部材を取り付けることもできる。
凹部に取り付けられた弾性部材は、可動羽根の全閉時、可動羽根の先端と当接することで固定羽根と可動羽根との気密性を更に高め、また、可動羽根の開閉時における緩衝材としての役目を果たすため羽根同士の衝突音を軽減できる。
さらに、雨水の浸入を完全に遮断できるので防水性を高めることができるとともに、断熱効果も高まる。
【００２２】
可動羽根は、軸受部から先端までが中空に形成されている。
これにより、可動羽根の部材自体の強度が高まる。
したがって、強風時にも堅強で、遮音効果、断熱効果があり、結露が発生しにくい。
固定羽根の傾斜角度を緩やかにすることで（水平に近い角度にすることで）、中空に形成された可動羽根の回転角度を大きくし、開口空間を大きくとることができる。
【発明の効果】
【００２３】
本発明は以下の効果を奏する。
【００２４】
１）窓を開けずに通気を得ることができるため、全開時でも保安上の観点からも安全性が高い。
【００２５】
２）固定羽根の立ち上がり部と軸受部との間の室外側に形成された凹部に取り付けられた弾性部材によって、固定羽根と可動羽根との気密性を更に高め、また、弾性部材が緩衝材としての役割を果たすことから羽根同士の衝突音を軽減することができる。さらに、雨水の浸入を遮断して防水性を高めることができるとともに、通気を遮断して断熱効果も高まる。
【００２６】
３）複数のシール手段により、より高い気密性、防水性を実現できる。
【００２７】
４）可動羽根が中空に形成されていることで、部材自体の強度が高く、強風時にも堅強で、遮音効果、断熱効果があり、結露が発生しにくい。
【図面の簡単な説明】
【００２８】
【図１】第１の実施例を示す部分縦断面図。
【図２】第２の実施例を示す部分縦断面図。
【図３】第３の実施例を示す部分縦断面図。
【図４】第４の実施例を示す部分縦断面図。
【発明を実施するための形態】
【００２９】
本発明の実施の形態について図面を用いて説明する。
【００３０】
本実施例は、窓に設置するガラリとして説明する。
図１は、固定羽根１と可動羽根２の第１の実施例を示す縦断面図である。
図１の左側が屋外で、右側が室内である。
実線で示し斜線が入っている可動羽根２は全閉時を、斜線が入ってない可動羽根２は全開時を、それぞれ示している。
また、図１中、可動羽根２の背後に見える、実線で示した連動棒は全閉時を、二点鎖線で示した連動棒１１は全開時を、それぞれ示している。
連動棒１１は図中の矢印で示した方向に移動し、連動棒の動きに併せて図中の矢印で示した方向に可動羽根２が開閉する。
【００３１】
可動羽根２と固定羽根１は、上下方向に交互に複数設けられている。
可動羽根２は、固定羽根１の軸受部３に回転自在に軸支され、軸受部３を基点として矢印で示したように開閉する。
全閉時の可動羽根２は、固定羽根１の室内側の隙間を完全に塞ぐため、室内側は、可動羽根２と固定羽根１とが完全に隙間なく並べられたようにフラットな状態になる。
【００３２】
可動羽根２は、中空に形成されている。
可動羽根２の先端部分には、当接部材５を取り付けるための溝が形成されている。
可動羽根２は、この溝部分で連動棒１１とネジ留めされる。
つまり、連動棒１１は左右の縦枠にそれぞれ配されており、可動羽根２は、その左右両端の溝部分で連動棒１１にネジ留めされる。
このようにして、全ての可動羽根２が、この溝部分で連動棒１１とネジ留めされることで、図中の矢印で示した略上下方向の連動棒１１の動きに合わせて、可動羽根２も同様の方向に開閉する。
なお、連動棒１１が可動羽根２の両端を係止する位置は、前記の溝部分に限られず、適宜変更することができ、可動羽根２を開閉できれば特定の位置に限定する必要はない。
【００３３】
可動羽根２の、可動羽根２が全閉時に固定羽根１と当接する部分は、固定羽根１の立ち上がり部４に密接する形状をなしている。
当接する部分の可動羽根２の形状は、立ち上がり部４に沿う形状をなしており、固定羽根１の立ち上がり部４の形状に合わせて種々の形状を採ることができる。
可動羽根２と固定羽根１の立ち上がり部４とが当接する部分に、緩衝材を設けることもできる。
この可動羽根２と固定羽根１との密接した全閉時の状態が、第１のシール手段となる。
【００３４】
可動羽根２の先端に、可動羽根２の全閉時、固定羽根１の傾斜面に当接する当接部材５が取り付けられている。
当接部材５は、可動羽根２の左右方向の長さと同じ長さで、平板状の形状をなし、固定羽根１の傾斜面に当接する先端側の板厚が薄い形状になっている。
このような先細りの形状にすることで、固定羽根１に当接する際に当接部材５の先端が室内側に撓み、当接部材５と固定羽根１との間を風が通り抜けるようなことがない。
そのため、外気を完全に遮断することができ、より気密性を高めることができる。
当接部材５は、可動羽根２に一体的に形成されていても良いが、本実施例では、着脱ができ、取り換えできるような構成になっている。
当接部材５と固定羽根１とが当接した全閉時の状態が、第２のシール手段となる。
【００３５】
固定羽根１は、一定の間隔で上下方向に複数設けられている。
固定羽根１は、軸受部３を基点として屋外側（図１の左側）に向かって傾斜した形状をなしており、屋外側の先端部分は屈曲している。
このような形状をなしていることで、固定羽根１の中に一時浸入した雨水が傾斜面をつたって屋外に流れ出る。
固定羽根１の屈曲部分と立ち上がり部４にはネジ留め部６が設けられている。
ネジ留め部６は、固定羽根１の両端部をネジ留めするための溝である。
ネジ留め部６の場所は、設計上適宜変更することができる。
【００３６】
固定羽根１は、立ち上がり部４と軸受部３との間の屋外側に凹部７が形成されている。
仮に、当接部材５と固定羽根１との間を通り抜けて室内側に浸入してきた雨水があっても、雨水が凹部７内で留まり、立ち上がり部４を超えて室内側へ浸入することがない。
【００３７】
なお、第１の実施例では、凹部７に弾性部材８を取り付けてある。
弾性部材８は、凹部７を埋めるようにして取り付けてある。
弾性部材８の奥行きを、凹部７の深さよりも長くすることで、凹部７に埋め込んだ弾性部材８が突出した状態になる。
このようにすることで、可動羽根２の全閉時に、弾性部材８が緩衝材としての役目を果たし、羽根同士の衝突音を軽減する。
また、弾性部材８が凹部７から突出した状態で取り付けられているため、弾性部材８が可動羽根２と密接した状態で当接する。
これにより、外気及び雨水の浸入を完全に遮断し、気密性、防水性を高めることができ、また、断熱効果も高まる。
この弾性部材８と可動羽根２とが当接した全閉時の状態が、第３のシール手段となる。
【００３８】
このほか、可動羽根２は、可動羽根２の先端に取り付けられた当接部材５よりも室内側の端部を延出させた形状（延出部９）にすることもできる。
この延出部９により、凹部７に取り付けた弾性部材８と当接する面積を広く確保することができ、より気密性を高めることができる。
また、延出部９の、弾性部材８と当接する側の面の一部に、突起部１０を設けて、弾性部材８に嵌合するようにすることもできる。
可動羽根２の全閉時には、突起部１０が弾性部材８と嵌合することで、さらに密着度が高まり、気密性をより高めることができる。
【００３９】
なお、図２に、凹部７に弾性部材８を取り付けず、また、可動羽根２の先端に延出部９及び突起部１０がない第２の実施例を示す。
また、図３に、図１の第１の実施例における可動羽根２を中空でない可動羽根２にした第３の実施例を示す。
さらに、図４に、図２の第２の実施例における可動羽根２を中空でない可動羽根２にした第４の実施例を示す。
【００４０】
第１の実施例に係るガラリと従来の可動ガラリによる気密性試験の試験結果を以下の表に示す。
表１は、従来の可動ガラリの試験結果であり、表２は、第１の実施例に係るガラリの試験結果である。
【００４１】
【表１】
2011202497.tif 000003
【００４２】
【表２】
2011202497.tif 000004
【００４３】
表１及び２の試験結果を基に、第１の実施例に係るガラリと従来の可動ガラリとで通気量を比較すると、以下の通りである。
すべての圧力差において、従来の可動ガラリよりも第１の実施例に係るガラリが通気量が少ない（気密性が高い）結果になっている。
【００４４】
圧力差（Pa）            通気量（ｍ3／ｈｍ2）
従来可動ガラリ      本発明のガラリ
１０Ｐａ          ４１．７６          ２５．２
３０Ｐａ          ７３．０８          ４８．４
５０Ｐａ          ８７．０            ６４．１
１００Ｐａ        １１１．３６        １０１．５
【００４５】
以上、第１の実施例によれば、第１から第３のシール手段によって、優れた気密性、防水性を発揮する。
また、可動羽根２が中空構造であるため、従来のガラリに較べて、可動羽根２自体の強度が高く、強風時にも堅強で、遮音効果、断熱効果があり、結露が発生しにくい。
このような中空の可動羽根２を用い、さらに第１から第３のシール手段を採用することによって、強風時にも、通気及び雨水を遮断でき、全閉時の可動羽根２が、がたつくようなことがなく、羽根同士の衝突音を軽減できる。
【符号の説明】
【００４６】
１      固定羽根
２      可動羽根
３      軸受部
４      立ち上がり部
５      当接部材
６      ネジ留め部
７      凹部
８      弾性部材
９      延出部
１０      突起部
１１      連動棒
【図１】
2011202497.tif 000005
【図２】
2011202497.tif 000006
【図３】
2011202497.tif 000007
【図４】
2011202497.tif 000008